(57)【特許請求の範囲】
【請求項１】
編集されるラスタ画像の特徴にもとづいて編集コマンドを提供する方法であって、
ユーザによって編集される前記ラスタ画像の部分の選択を受信し、
編集される前記ラスタ画像の部分に対する特徴を決定し、
前記特徴から、選択された前記編集されるラスタ画像の部分についてのレンダリングヒントを決定し、
前記レンダリングヒントから、決定された前記特徴に対応する、選択された前記編集されるラスタ画像の部分を編集するための編集コマンドを識別し、
画像編集システムのユーザに、選択された前記編集されるラスタ画像の部分を編集するための前記編集コマンドを提供する、
編集コマンドを提供する方法であって、
前記レンダリングヒントは、画像の詳細、階調、色の正確さ、色の鮮明さ、色合わせの少なくとも一つを含む前記画像の部分の設計目標を示し、
前記編集コマンドは、前記設計目標を達成するように選択される、
編集コマンドを提供する方法。
【請求項２】
前記特徴を決定することは、前記編集されるラスタ画像の部分の層を識別することを含む、請求項１に記載の編集コマンドを提供する方法。
【請求項３】
前記編集されるラスタ画像の部分における特徴は、色のタイプおよび色のタイプと相対位置の少なくとも一つを、特徴が識別する、請求項１に記載の編集コマンドを提供する方法。
【請求項４】
編集されるラスタ画像の特徴にもとづいて編集コマンドを提供するシステムであって、
ユーザによって編集される前記ラスタ画像の部分の選択を受信するインタフェースと、
編集される前記ラスタ画像の部分に対する特徴を決定し、該特徴から、選択された前記編集されるラスタ画像の部分についてのレンダリングヒントを決定する画像特徴抽出器と、
前記レンダリングヒントから、決定された前記特徴に対応する、選択された前記編集されるラスタ画像の部分を編集するための編集コマンドを識別する制御装置と、
を備え、
前記インタフェースは、画像編集システムのユーザに、選択された前記編集されるラスタ画像の部分を編集するための前記編集コマンドを提供し、
前記レンダリングヒントは、画像の詳細、階調、色の正確さ、色の鮮明さ、色合わせの少なくとも一つを含む前記画像の部分の設計目標を示し、
前記編集コマンドは、前記設計目標を達成するように選択される、
編集コマンドを提供するシステム。
【発明の詳細な説明】
【０００１】
【発明の属する技術分野】
本発明は、ラスタイメージエディタのユーザに、編集されるラスタ画像の特徴に基づいて編集制御を提供することに関する。
【０００２】
【従来の技術】
「アドビ・フォトショップ」、「コレル・フォトペイント」等のイメージエディタは、ユーザがラスタ画像を修正できるラスタエディタである。これらのエディタは、ラスタ画像を修正するための画像編集及びその他の操作ツール並びに／又はコマンドを、多くの種類、そしてしばしば混乱させるほど提供する。
【０００３】
バーカー（Barker）等に付与された米国特許第4,815,029号は、混合オブジェクトタイプを含むドキュメント用の、インライン動的エディタを提案している。この混合オブジェクトタイプは、テキストオブジェクト、ドローグラフィックスオブジェクト、ビジネスグラフィックスオブジェクト及びテーブルオブジェクトであり得る。このエディタは、編集のためにユーザによって選択されたオブジェクトのオブジェクトタイプに基づいて、編集動作を表示する等の動作を実行する。
【０００４】
【発明が解決しようとする課題】
しかし、バーカーのエディタは、表示された編集コマンドが、選択されたラスタ画像又はラスタ画像の一部の特徴に基づいて決定され得ることを開示していない。それどころか、バーカーのエディタは、選択されたオブジェクトのオブジェクトタイプに基づいて動作を行うのみである。
【０００５】
【課題を解決するための手段】
本発明は、編集されるラスタ画像又はラスタ画像の一部の特徴に基づいてラスタイメージエディタのユーザに編集コマンドを提供するシステム及び方法を提供する。例えば、編集コマンド又はツールの特定のセットが、ラスタ画像における特定の特徴に基づいてユーザに表示され得る。
請求項１に記載の発明は、ラスタ画像において、編集関連特徴に基づいて編集コマンドを提供する方法であって、編集されるラスタ画像に対する編集関連特徴を決定するステップと、編集関連特徴に対応する編集コマンドを識別するステップと、画像編集システムのユーザに編集コマンドを提供するステップとを含む。なお、編集関連特徴とは、編集されるラスタ画像に対して関連づけられかつ編集コマンドに対応する特徴である。
請求項２に記載の発明は、編集関連特徴を決定するステップが、ラスタ画像に関連付けられたレンダリングヒントを識別すること、又はラスタ画像の少なくとも一部を圧縮するのに用いられる画像符号化若しくは圧縮のタイプを決定することを含む。
請求項３に記載の発明は、画像編集システムであって、編集コマンドを格納するメモリと、編集されるラスタ画像に対する編集関連特徴を識別する画像特徴抽出器と、ユーザに提供される編集コマンドを示すユーザ入力を受け取るインタフェースと、少なくとも編集されるラスタ画像を表示する表示装置と、ラスタ画像又はラスタ画像の一部が選択された時を決定し、画像特徴抽出器によって識別された編集関連特徴に対応する格納された編集コマンドを識別する制御装置とを含む。なお、ラスタ画像又はラスタ画像の一部が選択されたか否かを判定し、選択されたことが判定された場合には、画像特徴抽出器によって識別された編集関連特徴に対応する格納された編集コマンドを識別する。
【０００６】
本発明の一つの態様において、ユーザに提供される編集コマンドを決定するために用いられる画像特徴は、ラスタ画像に関連付けられたＤＩＲレンダリングヒントである。
【０００７】
本発明の一つの態様において、ユーザに提供される編集コマンドを決定するために用いられる画像特徴は、ラスタ画像データを処理するために用いられる画像符号化又は圧縮方式の１形式である。
【０００８】
本発明の一つの態様において、編集される画像は２つ以上の面を有するＤＩＲタイプ画像である。ユーザに提供される編集コマンドは、画像における優性面に基づいて、例えば、面の圧縮比に基づいて、決定される。
【０００９】
本発明の一つの態様において、ユーザに提供される編集コマンドは、ラスタ画像の圧縮比に基づいて決定される。
【００１０】
本発明の一つの態様において、編集されるラスタ画像の特徴に基づいてカスタム編集コマンドが提供され得るように、ユーザに提供される編集コマンドはユーザが構成できる。
【００１１】
【発明の実施の形態】
以下、ＤＩＲタイプラスタ画像を含む具体的な例に関して本発明が説明される。従って、最初にＤＩＲタイプラスタ画像の簡単な説明が提供される。本発明は特定の例に関して説明されるが、本発明はＤＩＲタイプラスタ画像だけでなく、あらゆるタイプのラスタ画像と共に用いることができる。従って、本発明は、ＪＰＥＧ，ＴＩＦＥ、ＧＩＦ又は所望に応じてその他のラスタ画像と共に用いることができる。本明細書中で用いられているように、「ラスタ画像」という用語はあらゆるビットマップタイプ画像のことであり、バイナリタイプのビットマップ画像に限定されるものではない。同様に、「編集する」という用語は、あらゆる方法においてラスタ画像を変更するあらゆる操作のことであり、単一のピクセル、ピクセルの群又は画像全体に向けられる操作を含む。
【００１２】
スキャンされた又はラスタ処理されたページ記述言語（ＰＤＬ）ドキュメントを説明する文書画像表現（ＤＩＲ）方式が、様々な事務機械（パソコン、ディジタル複写機、プリンタ等）を用いてユーザ同士の間でラスタ指向のドキュメントを共有することを容易にするために、提案されている。従って、より高速、より高い画質、並びに例えばメモリ、記憶装置、処理能力及び／又は帯域幅等の適度のコンピュータリソースが、ＤＩＲ方式によって可能とされる。画像データを能率的に交換させるために、ＤＩＲ形式は非常に高い圧縮率（例えば、＞＞１０）を可能にする。高い圧縮率を達成するための効果的な方法は、ラスタ画像データの様々なセグメントをデータの個々の属性に応じて圧縮することである。例えば、テキスト及び線画データは、入力画像データの詳細や構造を維持することを重要視する方法を用いて圧縮される。画像(picture)及び色掃引(color sweeps)は、色の滑らかさ及び正確さを維持することを重要視する方法を用いて圧縮される。従って、ＤＩＲタイプ画像は、少なくとも概念的には、図１に示されるように少なくとも３つの異なる面に区分される。この例では、画像４０はテキスト及び／又は線画層(layer)４１と、選択層４２と、画像層４３とを含む。図１に見られるように、テキスト／線画層４１及び画像層４３は、テキスト／画像データ及び画像／色掃引データをそれぞれ含む。選択層４２は、テキスト／線画層４１と画像層４３とを切換える二元面である。従ってラスタ画像４０は、選択層４２における情報に基づいてテキスト／線画層４１と画像層４３とを結合させることによって構成される。この例において、選択層４２における黒い部分は画像層４３がデータをラスタ画像４０に寄与することを表し、選択層４２の白い部分はテキスト／線画層４１がラスタ画像４０に寄与することを示す。
【００１３】
ＤＩＲタイプラスタ画像４０は又、好ましくは、ラスタ画像４０又はラスタ画像４０の一部の属性を示すレンダリングヒント又はタグを含む第４層（図１に図示せず）を含む。レンダリングヒントはラスタ画像４０の設計目的又はその他の属性を示し、画像４０をレンダリングするとき、プリンタ等の出力装置によって用いられ得る。例えば、あるレンダリングヒントは、画像４０又は画像４０の一部が、画像の詳細、階調、色の正確さ、色の鮮明さ、色合わせ等を維持することを優先するようにレンダリングされるべきだ、ということを示すことができる。これらのレンダリングヒントは、ラスタ画像４０をレンダリングするとき特定の処理を定義するよう意図されるものではないが、その代わり、所望の結果を得るためにレンダリング中解釈及び使用できる画像４０の設計目標又はその他の属性を示すよう意図されている。例えば、詳細を優先するよう示すレンダリングヒントは、画像４０をレンダリングするときＭＴＦ補償プロセスを追加して組み込むべきだということを意味すると出力装置によって解釈され得るし、又、このレンダリングヒントは、高周波網点スクリーンが用いられるべきだと示していると解釈され得る。
【００１４】
レンダリングヒントは、画像４０に対し、特定のレンダリングヒントを画像４０又は画像４０の一部と関連付ける人間のオペレータによって生成され得るし、又は自動的に生成され得る。レンダリンングヒントが自動的に生成される場合、レンダリングヒントは、圧縮のタイプ等の画像に対して用いられる処理のタイプに基づいて決定でき、又はコントーン画像、テキスト若しくは線画、画像中の色のタイプ及び／若しくは位置、等の描写された画像のタイプの分析に基づいて決定できる。
【００１５】
ＤＩＲタイプ形式のラスタ画像４０は３つの層に区分されるので、この３つの層の各々は様々な方法及び／又は様々な圧縮率を用いて圧縮でき、従って画像４０の高い総合圧縮率を可能にする。例えば、テキスト／線画層４１は必ずしも喪失の多い方法で圧縮できるとは限らないが、画像層４３は通例、画像の外観を著しく変化させずに比較的高い圧縮率で喪失の多い方法で圧縮できる。
【００１６】
画像データを内容で区切ることは又、例えば、テキスト／線画データに対する高い空間解像度及び画像／色掃引データに対する高い「色解像度」等のように、様々な解像度が様々なデータに対して用いられ得るということでもある。
【００１７】
図２は、ラスタ画像を編集するユーザに編集コマンドを提供する方法のステップを示す流れ図である。この方法は、ＤＩＲタイプラスタ画像を編集することに関して以下で説明される。しかし、この方法はＤＩＲタイプラスタ画像を編集することに限定されるものではない。それどころか、この方法はあらゆるタイプのラスタ画像と共に用いることができる。
【００１８】
ステップＳ１００で、アトビ・フォトショップと類似した画像編集アプリケーション等のイメージエディタが、編集されるラスタ画像に対する編集関連特徴を決定する。この編集関連特徴は、ＤＩＲタイプラスタ画像が編集されるとき、ラスタ画像又はラスタ画像の一部に関連付けられたＤＩＲレンダリングヒントであり得る。この編集関連特徴は又、ＪＰＥＧ，ＺＩＰ等の、画像又は画像の一部を処理するのに用いられる画像符号化又は圧縮方式の１形式でもあり得る。３層以上に区分されているＤＩＲタイプ画像が編集されている場合、編集関連特徴は、編集される層に対する圧縮方法に基づいて、又は複数の層が重なる優性層(dominant layer)に対する圧縮方法に基づいて、決定できる。例えば、ＤＩＲタイプ画像の層同士が重なる場合、優性層は、最も圧縮されなかった層を識別することによって決定できる。次に、編集関連特徴がこの最低圧縮層に対して決定される。編集関連特徴は又、画像色内容、画像データによって表される画像のタイプ、画像中の色のタイプ及び相対位置等を含む、その他の画像特徴も含むことができる。
【００１９】
イメージエディタは、編集用のラスタ画像を開くというユーザからの要求を受け取ると、又は編集される画像若しくは画像の一部を選択するユーザに応答して、編集関連特徴を決定する。画像の選択は、画像又は画像の一部の近傍又は「上に」マウスのカーソル又はその他の位置決め手段を置き、編集される画像のアイコン又はその他の表示を選択し、画像に対する編集又はその他の機能を行うこと等によって、行うことができる。
【００２０】
ステップＳ２００で、決定された編集関連特徴に対応する編集コマンド又は機能が識別される。この例では、イメージエディタは、記憶されており、且つ、編集されるラスタ画像の決定されたＤＩＲレンダリングヒント、圧縮若しくは符号化方式又はその他の機能に対応している、１セットの編集コマンド又は機能にアクセスできる。編集コマンドのセットは、所望により１つ以上の編集コマンドを含むことができる。例えば、「輪郭」レンダリングヒントがステップＳ１００で決定される場合、形態フィルタ、解像度変換機能等の輪郭及び形状の処理に関連する編集コマンドが検索され得る。
【００２１】
ステップＳ３００で、ステップＳ２００で識別された編集コマンドがユーザに提供される。この例では、イメージエディタは、編集コマンド又は編集コマンドの表示をラスタ画像と共に、表示された編集スクリーン上に表示できる。例えば、編集機能アイコンが表示され得るし、及び／又はステップＳ２００で検索されたコマンドのコマンドバー若しくはプルダウンメニューがユーザに表示され得る。
【００２２】
図３は、本発明に係る画像編集システム１０の概略ブロック図である。画像編集システム１０は、汎用コンピュータ又は汎用コンピュータのネットワークであり得るデータ処理システム１及びその他の関連装置を含むが、これらの関連装置は、通信装置、モデム、データ記憶装置、及び／又は所望される入力／出力若しくはその他の機能を実行するために必要なその他の回路若しくは構成要素を含む。
【００２３】
画像編集システム１０はコンピュータシステムとして説明されているが、画像編集システム１０は複写機、プリンタ、ファクシミリ装置、スキャナ等のデバイスを含むことができる。更に、画像編集システム１０は、ユーザにラスタ画像編集又はその他の操作能力を提供する独立型の複写機、プリンタ又はその他の画像出力装置であり得る。
【００２４】
データ処理システム１は、図３に概略的に示されている編集コマンド制御装置２を含む。つまり、編集コマンド制御装置２は、必ずしもデータ処理システム１の個別データ処理モジュール又はその他のデバイスである訳ではない。その代り、編集コマンド制御装置２は、合わさって一つの編集コマンド制御装置として機能する、データ処理システム１における別々のモジュール及び／又はデバイスの集まりであり得る。
【００２５】
この例では、編集コマンド制御装置２は制御装置３を含むが、この制御装置３は、少なくとも部分的には汎用データ処理装置及び／又は単一の特定用途向け集積回路として実施できる。単一の特定用途向け集積回路とは、例えば、全体的なシステムレベル制御のための主演算処理装置又は中央演算処理装置セクションと、中央演算処理装置セクションの制御の下で種々の特定の計算、機能及びその他の処理を実行する専用の個別のセクションと、を夫々が含むＡＳＩＣ（又はＡＳＩＣのアレイ）である。制御装置３は又、例えば、個別素子回路又はプログラム可能論理デバイス等のハードワイヤード電子回路又は論理回路等の、複数の個別専用プログラム可能集積又はその他の電子回路若しくはデバイスを用いて実施できる。制御装置３は又、好ましくは、揮発性若しくは非揮発性記憶装置、通信装置、及び／又は所望の機能を果たすのに必要なその他の回路若しくは構成要素等の、その他のデバイスを含む。
【００２６】
データ処理システム１は又、光ディスク、磁気媒体、半導体又はその他の記憶装置等の、一つ以上の揮発性及び／又は非揮発性記憶装置であり得るメモリ５も含む。メモリ５は、少なくとも編集コマンド情報及び対応するラスタ画像特徴情報を格納する。
【００２７】
データ処理システム１は又、編集コマンドを提供する目的で編集されるラスタ画像の編集関連特徴を決定する、画像特徴抽出器４も含む。画像特徴抽出器４は、制御装置３又はその他のあらゆる適切なデータ処理装置によって実行されるソフトウエアモジュールとして実施できる。又は代りに、画像特徴抽出器４は、例えば、個別素子回路又はプログラム可能論理デバイス等のハードワイヤード電子回路又は論理回路等の、ハードワイヤード電子回路、又はその他のプログラムされた集積若しくはその他の電子回路若しくはデバイスとして、実施できる。
【００２８】
データ処理システム１は、好ましくは編集されるラスタ画像の表示及び／又は編集コマンド又はその他の情報をユーザに提供する、表示装置６と通信する。しかし、ラスタ画像の表示は基体又はその他に提供される手段に印刷できる。従って、表示装置はコンピュータのモニタ、プリンタ、又はラスタ画像の表示の生成及び／若しくはその他の情報をユーザに提供できる他のあらゆるデバイスであり得る。
【００２９】
データ処理システム１は又、インタフェース７と通信するが、このインタフェース７は、ユーザ又はその他の存在にデータ処理システム１と対話させ、１つ以上のキーボード、マウス若しくはその他の位置決め装置、タッチスクリーンであり関連付けられている表示装置、画像編集機能ボタン若しくはキー、音声認識システム、スキャナ、モデム、データ入力／出力装置、又は情報をデータ処理システム１に入力させる及び／若しくはデータ処理システム１から受信させる他のあらゆるデバイス、を含むことができる。従ってインタフェース７は、通信ネットワーク、コンピュータネットワーク（例えば、ＬＡＮ又はＷＡＮ）、インターネット、又はその他のネットワーク若しくはネットワークのグループを含むことができる。
【００３０】
従って、インタフェース７はデータ処理システム１へ情報を提供及び／又はデータ処理システム１から情報を受信できる。例えば、ラスタ画像データはインタフェイス７によってデータ処理システム１に提供され得る。又は代りに、ラスタ画像データは、データ処理システム１内のメモリ５によって又は通信回線８で提供され得る。ラスタ画像データは、圧縮された形態又は圧縮されていない形態のどちらかで提供され得る。ラスタ画像データが圧縮されている場合は、制御装置３又はその他の専用モジュール若しくは回路がラスタ画像データを必要に応じ解凍し、適宜、画像又は画像の部分を表示するために表示装置６に制御情報を提供する。画像表示方法及びシステムだけでなく画像データ圧縮及び解凍方式も周知であり、本明細書では詳細に説明されない。同様に、データ処理システム１のうち本発明に特に関連している部分のみが図３では説明され示される。もちろん、データ処理システム１は付加的な構成要素、モジュール、回路、又は所望に応じその他のデバイスを含むことができるし、好ましくは含むであろう。
【００３１】
画像編集システム１０がラスタ画像を編集又はそれ以外の処理をするのに用いられる場合、ユーザは編集用のラスタ画像を指定し、画像編集システム１０は好ましくは、図４に示されるようなグラフィカルユーザインターフェイスの一部として、選択された画像又は画像の一部を表示する。グラフィカルユーザインターフェイスはコマンドバー６１を含むが、このコマンドバー６１は、ユーザによって呼び出し得るコマンドのリストを提供するために選択できるプルダウンメニュー見出しを含む。画像又は画像の一部はワークスペース６２に表示される。編集コマンド制御装置２は、コマンドバー６１中に、表示された画像に関連のある編集コマンドの１セットを表示でき、及び／又はコマンドバー６１とは別個の機能ボタン６３としてコマンドを表示できる。図４に示される機能ボタン６３はワークスペース６２の左側に表示されているが、表示ボタン６３は、表示装置６のどこにでも、又は例えば、キーボード若しくはその他の制御ボタン、ボタンの組合せ、若しくはボイスコマンド等に関連付けられ、インタフェース７によってユーザのために提供される手段のどこにでも、表示できる。
【００３２】
表示装置６上のグラフィカルユーザインタフェースは、表示された画像の部分をユーザに選択させるカーソル６４、編集機能ボタン６３又はグラフィカルユーザインタフェースの一部として表示されるその他の項目も含むことができる。図４で、カーソル６４は長方形の領域を選択するカーソルとして示されている。しかし、カーソル６４は十字線カーソル、一般的な「矢印」カーソル等を含む、その他の形を有することができる。更に、カーソル６４は、画像の様々な部分が選択できるように、寸法及び／又は形状が変化するようユーザによって制御され得る。表示された画像のいかなる領域が選択されても、編集コマンド制御装置２は選択された画像領域に関連する編集コマンドを表示できる。編集コマンドは、コマンドバー６１に、又は機能ボタン６３として、又はその他の手段で提供されるように、表示できる。
【００３３】
画像を最初に表示することに応答してであろうと、画像又は画像の一部を選択するユーザに応答してであろうと、編集コマンド制御装置２は、表示された及び／又は選択された画像又は画像の一部に対する編集関連特徴を決定する画像特徴抽出器４に基づいて、画像に関連する編集コマンドを提供する。編集されるラスタ画像がＤＩＲ−タイプ画像である場合、画像特徴抽出器４は、画像全体に関連付けられたレンダリングヒント、又は選択されるＤＩＲタイプ画像の例えば層等の特定部分に関連付けられたレンダリングヒントを識別できる。例えば、表示された画像に関連付けられたレンダリングヒントが「輪郭」である場合、画像特徴抽出器４はこのレンダリングヒントを制御装置３に知らせ、制御装置３はメモリ５から「輪郭」レンダリングヒントに関連付けられた編集コマンドを検索する。次に、検索された編集コマンドは、例えば、コマンドバー６１に表示されたり、機能ボタン６３として表示されたり、ダブルクリック又は選択等のユーザー開始カーソル６４動作に関連付けられたり、キーボードのストローク又はその他の制御ボタン操作に関連付けられたりなどして、ユーザに提供される。
【００３４】
画像特徴抽出器４は又、ＤＩＲレンダリングヒントとは別に、画像又は画像の一部におけるその他の編集関連特徴を決定することもできる。例えば、画像特徴抽出器４は、画像又は画像の一部を圧縮するために用いられる画像符号化又は圧縮方式のタイプを決定し、制御装置３に用いられる符号化又は圧縮方式を識別できる。それに応答して、制御装置３は検索し、決定された符号化又は圧縮方式に関連する編集コマンドを提供するように表示装置６又はインタフェース７に指示する。例えば、選択された画像部分がＪＰＥＧ圧縮を用いて圧縮されていたら、ＪＰＥＧ圧縮画像に関連する編集コマンドの１セットがユーザに提供され得る。それ以外の編集関連特徴が画像特徴抽出器４によって識別され得るが、これらの編集関連特徴は画像中の色のタイプ及び／又は相対位置、画像の内容、検出されたエッジの数又は空間周波数特性等の画像データの分析等を含む。ＤＩＲタイプ画像の文脈では、画像特徴抽出器４は又、２つ以上の層に区分される画像に対する編集関連特徴を決定することもできる。例えば、画像の第１層が編集される場合、第１層に対する特徴に関連する編集コマンドが提供され得る。同様に、画像の第２層が編集される又は選択される場合、画像特徴抽出器４は第２層に対する編集関連特徴を決定できる。第１層及び第２層が重なる又は複合される場合、画像特徴抽出器４は優性層を決定し優性層に対する編集関連特徴を決定できる。例えば、優性層は、最も圧縮されなかった又は圧縮比が最も低い層を識別することによって決定できる。次に、制御装置３が、画像特徴抽出器４によって識別された優性層に特に関連する編集コマンドをユーザに提供できる。
【００３５】
以上、画像編集システム１０は、ラスタ画像の自動分析に基づいてユーザに編集コマンドを自動的に提供するものとして説明されたが、ユーザに提供される編集コマンドはユーザによって構成されることができる。例えばユーザは、編集コマンド制御装置２に、ラスタ画像の特定のレンダリングヒント、圧縮方式、圧縮率又はその他の編集関連特徴が表示された及び／又は選択された画像又は画像の一部において識別された場合はいつでも、特定のセットの編集コマンドを提供するように指示できる。それ故に、ユーザは特定のレンダリングヒントに対して提供された１セットの編集コマンドが広過ぎており、一つ以上の編集コマンドが表示されるべきではないと決定できる。インタフェース７を用いて、ユーザは、メモリ５に格納されている編集コマンドと特定のレンダリングヒント又はその他の編集関係特徴との間の対応付けを変更するように制御装置３に指示できる。従って、表示及び／又は選択されおりこれから編集されるラスタ画像において、特定の編集関連特徴が画像特徴抽出器４によって識別される場合、ユーザは提供される編集コマンドを削除するだけでなく追加することもできる。
【図面の簡単な説明】
【図１】ＤＩＲタイプ画像の一例を示す概略図である。
【図２】編集されるラスタ画像の特徴に基づいて編集コマンドを提供する方法のステップを示す流れ図である。
【図３】本発明に係る画像編集システムを示す概略ブロック図である。
【図４】本発明と共に用いられるグラフィカルユーザインタフェースの一例を示す図である。
【符号の説明】
２    編集コマンド制御装置
４    画像特徴抽出器
５    メモリ
６    表示装置
７    インタフェース
１０    画像編集システム
４０    ラスタ画像
【図１】
0004338856.tif 000002
【図２】
0004338856.tif 000003
【図３】
0004338856.tif 000004
【図４】
0004338856.tif 000005